(57)【特許請求の範囲】
【請求項１】
パレットコンテナのインナーコンテナの中に配置されて、輸送品を受け入れるインナーライナーであって、
前記輸送品を受け入れる薄肉かつ軟質のフィルム（１）と、
前記輸送品を取り出すための管継手（３）と、
前記パレットコンテナの前記インナーコンテナ（１４）のコンテナ壁における開口（１３）に前記フィルム（１）を取り付けると共に該フィルム（１）を上記管継手（３）に取り付けるためのアダプタ（２）とを備え、
前記フィルム（１）、前記アダプタ（２）、及び前記管継手（３）は、１つの組立品を構成し、かつ、
前記フィルム（１）、前記アダプタ（２）、及び前記管継手（３）により囲まれた領域は、外部に対して密閉されているインナーライナー。
【請求項２】
請求項１記載のインナーライナーにおいて、
前記アダプタ（２）は、実質的に回転対称のモールド部品として実装されたことを特徴とするインナーライナー。
【請求項３】
請求項１又は２に記載のインナーライナーにおいて、
前記アダプタ（２）は、実質的にポット形部品として実装され、前記ポット形部品は底部（５）と側壁（６）とを有することを特徴とするインナーライナー。
【請求項４】
請求項３記載のインナーライナーにおいて、
前記側壁（６）は、テーパーを付けて実装されていることを特徴とするインナーライナー。
【請求項５】
請求項３又は４に記載のインナーライナーにおいて、
前記ポット形部品は、フランジ付きの縁部（８）を有することを特徴とするインナーライナー。
【請求項６】
請求項５記載のインナーライナーにおいて、
前記縁部（８）は、Ｕ字形又はＬ字形に形成され、かつ前記縁部（８）に密閉部が配置されていることを特徴とするインナーライナー。
【請求項７】
請求項１又は２に記載のインナーライナーにおいて、
前記アダプタは、実質的に環状板として実装されたことを特徴とするインナーライナー。
【請求項８】
パレットに載置されるように格子又は金属板ジャケットの中に受け入れられ、請求項１〜７のいずれか１項に記載のインナーライナーにより特徴付けられた寸法的に安定したインナーコンテナ（１４）を備えたパレットコンテナであって、
前記インナーライナーの前記アダプタ（２）は、前記寸法的に安定したインナーコンテナ（１４）の前記コンテナ壁（１５）の開口（１３）に固定されているパレットコンテナ。
【請求項９】
請求項８記載のパレットコンテナにおいて、
前記インナーライナーの前記アダプタ（２）は、ねじ込み蓋によって前記インナーコンテナ（１４）に固定され、前記ねじ込み蓋（１７）のねじ（１８）は前記コンテナ壁（１５）の前記開口（１３）に設けられた相手ねじと係合し、前記ねじ込み蓋（１７）は前記アダプタ（２）に重なることを特徴とするパレットコンテナ。
【請求項１０】
請求項８記載のパレットコンテナにおいて、
前記インナーライナーの前記アダプタは、材料接合により前記コンテナ壁の前記開口に固定されることを特徴とするパレットコンテナ。
【発明の詳細な説明】
【技術分野】
【０００１】
本発明は、パレットに載置されるように格子又は金属板ジャケットの中に受け入れられ、寸法的に安定したインナーコンテナを備えた請求項８に係るパレットコンテナに関し、加えて、パレットコンテナのインナーコンテナの中に配置されて、輸送品、特に液体輸送品を受け入れるインナーライナーにも関する。実質的に、インナーライナーは輸送品を受け入れる薄肉かつ軟質のフィルムを有するものである。
【背景技術】
【０００２】
パレットコンテナは、その原理上、例えばいわゆる中型バルクコンテナ（ＩＢＣ：Intermediate Bulk Container）として従来知られている。
【０００３】
加えて、パレットコンテナのインナーコンテナの中に、インナーライナーを構成する薄肉かつ軟質の、かつ実質的にチューブ状のフィルムを配置することも知られている。ここで、インナーライナーは密閉されたフィルムとして形成され、適切な場合には追加的に殺菌放射により滅菌され、実質的にチューブ状にされて、当該フィルムがパレットコンテナのインナーコンテナの中に配置される。
【０００４】
インナーライナーの中に輸送品を受け入れるためのフィルムをパレットコンテナのインナーコンテナの中へ配置する際に、気密性を損なわずに密閉インナーライナーを簡便な方法で取り付けることは困難である。
【発明の概要】
【０００５】
本発明の目的は、インナーライナーのフィルムによって囲まれた容積部分の気密性を損なわずにインナーライナーが簡便な方法で取り付けられるように、パレットコンテナ用のインナーライナー、又はインナーライナーを備えたパレットコンテナを提供することにある。
【０００６】
上記目的は、請求項１に係るインナーライナーにより本発明に従って達成される。当該インナーライナーは、薄肉かつ軟質のフィルムと、パレットコンテナのインナーコンテナのコンテナ壁における開口に当該フィルムを取り付けるためのアダプタと、輸送品を取り出すための管継手とを備え、フィルム、アダプタ及び管継手は１つの組立品を構成し、かつ、フィルム、アダプタ及び管継手により囲まれた領域は外部に対して密閉されている。
【０００７】
本発明に係るアダプタは、フィルムを管継手に取り付け、かつ、フィルム、アダプタ及び管継手からなる組立品を、前もって製作された気密構造ユニットとして、パレットコンテナのインナーコンテナのコンテナ壁における開口に取り付け、また必要に応じて当該組立品を取り外す可能性を付加的に提供する。
【０００８】
加えて、上記目的は、インナーライナーのアダプタが、元来安定したインナーコンテナのコンテナ壁の開口に固定されるという点で、請求項１〜７のいずれか１項に係るインナーライナーにより、請求項８に係るパレットコンテナのために実質的に達成される。
【０００９】
アダプタが実質的に回転対称のモールド部品、特にプラスチックモールド部品として実装されることは、インナーライナーにとって好ましいと思われる。
【００１０】
アダプタが実質的にポット形部品として実装され、当該ポット形部品が底部と側壁とを有することは、アダプタに関し、インナーライナーにとって好ましいと思われる。ここで、実質的なポット形部品は、コンテナ壁の開口の中に配置され、かつ簡便な方法で、特に実質的な形態嵌めにより固定され得る。
【００１１】
パレットコンテナのコンテナ壁における開口の中央にてアダプタが受け入れられるように、側壁がテーパーを付けて実装されていることは、実質的にポット形部品としたアダプタの設計にとって好ましいと思われる。
【００１２】
ポット形部品がフランジ付きの縁部を有することは、実質的にポット形部品としたインナーライナーの設計にとって好ましいと思われる。フランジ付きの縁部は、座面、又は、密閉部のシールリングのためのカバー若しくは密閉ハウジングのはたらきをする。
【００１３】
縁部がＵ字形又はＬ字形に形成され、かつ当該縁部に密閉部が配置されていることは、インナーライナーのアダプタの向きを変えられた縁部にとって好ましいと思われる。ここに、密閉部は、シールリングとして、アダプタのＵ字形又はＬ字形に形成された部分に受け入れられ得る。
【００１４】
実質的にポット形部品として実装されたアダプタに代えて、アダプタが実質的に環状板として実装されることが考えられる。当該環状板は、縁部の側面にて溶接縁部を有してもよい。
【００１５】
寸法的に安定したインナーコンテナのコンテナ壁の開口に固定された、インナーライナーのアダプタを備えたパレットコンテナにとって、インナーライナーのアダプタがねじ込み蓋によってインナーコンテナに固定され、ねじ込み蓋のねじはコンテナ壁の開口に設けられた相手ねじと係合し、ねじ込み蓋がアダプタに重なることは、好ましいと思われる。そのようなねじ込み蓋は、標準部品として入手が容易であり、かつ、当該ねじ込み蓋を使用後に取り外すだけでインナーライナーの取り外しを可能にする。
【００１６】
パレットコンテナの実質的に寸法的に安定したインナーコンテナのコンテナ壁の開口に対して、原理的には取り外し可能にインナーライナーのアダプタを固定することに代えて、又はこれに加えて、インナーライナーのアダプタが、材料接合により、特に溶接によりコンテナ壁の開口に固定されることも考えられる。
【００１７】
本発明の他の利点及び特徴は、従属請求項から、また好ましい例示的な実施形態の説明から生じる。
【００１８】
以下、好ましい例示的な実施形態を用いて、添付図面を参照しつつ、本発明をより詳細に説明する。
【図面の簡単な説明】
【００１９】
【図１】本発明に係るインナーライナーの例示的な実施形態の斜視図である。
【図２】図１のインナーライナーの長手方向断面図である。
【図３】図１及び図２のインナーライナーが配置された、本発明に係るパレットコンテナの例示的な実施形態の部分断面図である。
【発明を実施するための形態】
【００２０】
図１は、液体輸送品が充填されるインナーライナーを示している。当該インナーライナーは、液体輸送品がパレットコンテナのインナーコンテナの中に、特にいわゆる中型バルクコンテナ（ＩＢＣ）のインナーコンテナの中に受け入れられるという、目的にかなうものと思われる。
【００２１】
インナーライナーは、ポリエチレンのような樹脂からなる、薄肉かつ軟質のフィルム１を備える。当該フィルム１は、一方の側に開いたチューブとして実装されている。更に、インナーライナーは、ＩＢＣのインナーコンテナのコンテナ壁における開口にフィルム１を取り付けるためのアダプタ２を備える。ただし、当該開口は図示されていない。最後に、インナーライナーは、フィルム１の中に受け入れられた輸送品を取り出すための管継手３を備える。ここに、フィルム１、アダプタ２、及び管継手３は１つの組立品を構成し、フィルム１、アダプタ２、及び管継手３により囲まれた領域は外部に対して密閉されている。特に当該囲まれた領域は、前もって高レベル放射により殺菌処理が施され、滅菌されている。
【００２２】
図２は、一方の側に開いたチューブとして実装されたフィルム１が、開放端に補強リング４を有することを示している。フィルム１は、当該補強リングでアダプタ２に結合されている。
【００２３】
アダプタ２は、実質的に回転対称のモールド部品、特に射出成形法により製造される、特にプラスチックモールド部品として実装されている。当該アダプタ２は、実質的にポット形部品として実装され、当該ポット形部品は底部と側壁とを有し、底部５はスルーホール７を有する。このようにして、輸送品は、フィルム１から管継手３へ取り出され得る。フィルム１の補強リング４は、アダプタ２の底部５の第１面に固定されている。管継手３は、底部５の第２面に固定されている。これにより、アダプタ２は、フィルム１と管継手３との固定的な結合を確立する。
【００２４】
アダプタ２の側壁６については、特に図１からも分かるように、側壁６は、フィルム１に向かって円錐形になるようにわずかにテーパーを付けて実装されている。図２から、ポット形部品として実装されたアダプタ２はフランジ付きの縁部８を有し、当該縁部８は実質的にＵ字形に形成され、「Ｕ」の内脚と外脚９との間に密閉部１０のシールリングが配置されていることも分かる。
【００２５】
管継手３は、フラップ弁１１のほか、端面がアダプタ２の底部５の第２面に固定された接続部品１２を有する。フィルム１のチューブから、またフィルム１の補強リング４から、またアダプタ２の底部５のスルーホール７から、また接続部品１２から管継手３のフラップ弁１１まで達する、インナーライナーの連続した内部領域は、外部に対して気密かつ無菌であるように実装される。
【００２６】
図３は、インナーライナーの組立品を示している。当該組立品は、前もって製作された気密かつ無菌の構造ユニットとして実装され、かつパレットコンテナに属する排出口として実装された開口１３に取り付けられている。ＩＢＣとして実装されたパレットコンテナの一部のみ、すなわちインナーコンテナ１４のみが図示されている。ここに、インナーコンテナ１４は実質的に直方体状の容積を持つ寸法的に安定したプラスチック部品として実装されており、当該プラスチック部品は充填前であっても一定の直方体形状を有する。インナーコンテナ１４の前部コンテナ壁１５にて下縁部の中央に引込部が設けられ、当該引込部にて外部へ延出した一体成形品１６が、外側にねじを、内側に滑らかな面をそれぞれ有する。フィルム１は、一体成形品１６の内側の滑らかな面にアダプタ２の側壁６の外面が載るように、開口１３を通じてインナーコンテナ１４の内部領域へ案内される。そのとき、Ｕ字状にフランジが付けられた縁部８の外脚９は、一体成形品１６の外ねじの端部と同一平面をなす。
【００２７】
このようにして開口１３に前もって付けられたアダプタ２は、ねじ込み蓋１７によってインナーコンテナ１４に固定され、ねじ込み蓋１７のねじ１８は、コンテナ壁１５の開口１３の一体成形品１６に、ねじ込み蓋１７のねじ１８に対する相手ねじとして設けられたねじと係合し、ねじ込み蓋１７はアダプタ２に重なる。ここに、ねじ込み蓋１７は孔あきの蓋を有し、その孔を管継手３が通る。
【００２８】
パレットコンテナのインナーコンテナ１４にアダプタ２を固定することに代えて、又はこれに加えて、インナーライナーのアダプタ２は、材料接合により、特に溶接によりコンテナ壁１５の開口１３に固定されることも考えられる。
【００２９】
上述した例示的な実施形態では、インナーライナーがパレットコンテナの排出口１３に固定された。これに加えて、インナーライナーは、実質的にインナーコンテナの上蓋面の中央にて、インナーコンテナの導入口に配置されることも考えられる。
【００３０】
上述した例示的な実施形態では、密閉部１０のシールリングを受け入れるために、アダプタ２の縁部８が実質的にＵ字形に形成されることとした。実質的にＵ字形の断面を有するようにアダプタ２の縁部８を形成すれば、衝撃を受けた場合の半径方向における管継手３の取り付け安定性が改善される。例示的な実施形態の変形例として、アダプタ２の縁部８は、Ｌ字形に形成されることも考えられる。
【００３１】
上述した例示的な実施形態では、管継手３がフラップ弁１１を有することとした。これに代えて、管継手はボール弁を有してもよい。
【００３２】
上述した例示的な実施形態では、アダプタ２が実質的にポット形部品として実装されることとした。アダプタは、環状板としても実装され得ると理解されるべきである。当該環状板の両環状面にフィルム又は管継手が固定され、パレットコンテナの寸法的に安定したインナーコンテナのコンテナ壁における開口に環状板が、外縁部に沿って例えば外周溶接により固定される。
【図１】
0006622313.tif 000002
【図２】
0006622313.tif 000003
【図３】
0006622313.tif 000004